(57)【要約】【課題】小型のＬＥＤディスプレイユニットを複数組み合わせて配置し大型のディスプレイ装置を構成させる場合に、ディスプレイ画面のハード上、構造上の強度を向上させて、よりディスプレイ画面の大型化が可能であると同時に安全性、信頼性の高いＬＥＤパネルユニットとそれを用いたＬＥＤディスプレイユニット及びＬＥＤディスプレイ装置を提供することである。【解決手段】ＬＥＤランプを複数配置した回路基板を有するＬＥＤパネルユニットであって、その外形は少なくとも１の凹部を備えるものである。【選択図】図１
2007127976.tif 000002
【特許請求の範囲】
【請求項１】
ＬＥＤランプを複数配置した回路基板を有するＬＥＤパネルユニットであって、その外形は少なくとも１の凹部を備えることを特徴とするＬＥＤパネルユニット。
【請求項２】
前記ＬＥＤパネルユニットの外周は、前記回路基板に垂直な外枠部を備え、その外枠部には他のＬＥＤパネルユニットの外枠部と連結可能に留め具を備えることを特徴とする請求項１記載のＬＥＤパネルユニット。
【請求項３】
ＬＥＤランプを複数配置した回路基板を有するＬＥＤパネルユニットと、前記複数のＬＥＤランプの個々に表示信号を配信するディストリビュータに接続されるコネクタと、このコネクタと前記回路基板を接続する表示信号ラインを備えるＬＥＤディスプレイユニットであって、前記ＬＥＤパネルユニットの外形は少なくとも１の凹部を備え、前記コネクタの外形は前記ＬＥＤパネルユニットの外形と相似形であることを特徴とするＬＥＤディスプレイユニット。
【請求項４】
表示信号を受信して発光するＬＥＤランプを複数配置した回路基板を有しその外形は少なくとも１の凹部を備えるＬＥＤパネルユニットを含めて複数のＬＥＤパネルユニットを連結させてなるＬＥＤパネルと、前記複数のＬＥＤパネルユニットの前記複数のＬＥＤランプの個々に前記表示信号を配信するディストリビュータと、所望の表示信号を生成して前記ディストリビュータに送信するドライバと、このドライバに対して前記表示信号を生成するための表示データと前記ドライバを駆動するための制御信号を送信する制御部と、前記表示データを格納する格納部とを有することを特徴とするＬＥＤディスプレイ装置。
【請求項５】
前記ＬＥＤパネルユニットは請求項２に記載のＬＥＤパネルユニットであることを特徴とする請求項４に記載のＬＥＤディスプレイ装置。
【発明の詳細な説明】
【技術分野】
【０００１】
本発明は、ＬＥＤパネルユニットとそれを用いたＬＥＤディスプレイユニット及びＬＥＤディスプレイ装置に係り、特にＬＥＤパネルユニットを複数連結して構成する場合にＬＥＤパネル強度の向上を図ったＬＥＤパネルユニット等に関する。
【背景技術】
【０００２】
ＬＥＤランプを光源にしたＬＥＤパネルやＬＥＤディスプレイ装置は、既に種々実用化されており、ＬＥＤランプの輝度や演色性などが向上されつつ、またＬＥＤパネル自身も大型化する傾向にある。
ＬＥＤパネルは単一面で大型化させると文字情報や画像、映像情報を表示させるための表示信号の制御が複雑化したり、あるいは画面の大きさの自由度の制限が生じるため、小型のＬＥＤパネルユニットを複数組合わせることによって大型化させ、使用者の要望の応じてそのＬＥＤパネルのサイズを調整可能としている。
例えば、図７にＬＥＤパネルユニットを組み上げることによって構成された従来の大型のディスプレイパネルを示す。
図７において、ディスプレイパネル３０は横に８行、縦に６列に配置されたＬＥＤパネルユニット３１から構成されている。ＬＥＤパネルユニット３１は矩形で、これらのＬＥＤパネルユニット３１の各々に多数のＬＥＤランプが備えられており、文字情報や画像情報などを表示することができる。
従来のディスプレイパネル３０では、構成するＬＥＤパネルユニット３１はすべて同じく矩形で同じサイズのものが用いられている。
また、ＬＥＤパネルユニットとしては、例えば特許文献１に開示されるものがある。特許文献１には、「ＬＥＤディスプレイユニット及びそれを用いた表示装置、点灯方法」として、ＲＧＢ（赤色系、緑色系、青色系）が発光可能なＬＥＤ（発光ダイオード）を使用したフルカラーのＬＥＤディスプレイユニットであって、外部から入力される表示データによって文字情報や映像情報などを表示するもので、そのディスプレイユニットの表示面内のドットの輝度のばらつきやユニット間における輝度のばらつきを低下させることができるものが開示されている。
具体的には、この輝度のばらつきを低下させるために、ＬＥＤディスプレイパネルの各ドットに対応して個々に出力レベルを調節する輝度補正手段を設ける改良がなされている。
【０００３】
また、特許文献２には「ＬＥＤディスプレイシステム及び表示プログラムを記録した記録媒体」として、複数の表示情報とその表示情報に対応する複数の固有記号を有する表示データ及び表示順序データなどを備えることで、複数の業種を表示の対象とすることができると共に、操作機能を向上することができる発明が開示されている。
予め表示データや表示順序データなどを業種データ保管用メモリに格納し、これをＣＰＵで読み出して表示用メモリに格納しておき、表示順序データに基づいて表示データを読み出して表示制御するものである。
【０００４】
さらに、特許文献３には「ＬＥＤ表示装置及びそれを用いた大型表示装置」として、ＬＥＤパネルを縦横方向に配置した表示画面を構成した場合に、その画面スクロール時に段間縦方向の連続性が保持されるように、隣接するラスタのスキャンタイミングの差を全段に亘って同じにする発明が開示されている。
【特許文献１】特開平１０−２９３５５８号公報
【特許文献２】特開２００２−４９３５６号公報
【特許文献３】特開２００１−３１２２４８号公報
【発明の開示】
【発明が解決しようとする課題】
【０００５】
しかしながら、特許文献１に記載された従来の技術では、ＬＥＤディスプレイユニットとして画面が大型化する際にその輝度のばらつきを小さくすることが可能な発明であり、画面としての品質の向上を図るものであるものの、大型化した画面の構造的な強度やその健全性を担保するものではない。従って、大型化したＬＥＤディスプレイ画面の強度の担保が困難という課題があった。
【０００６】
また、特許文献２に開示される発明においても複数の業種に関する情報を順次読み出して効率的に表示が可能であり、ソフト面を改善するものの、やはり大型化した画面のハード上の改善を行なうものではないので、特許文献１と同様にＬＥＤディスプレイ画面の強度の維持、向上について課題があった。
【０００７】
そして、特許文献３に開示された発明においても表示画面の大型化に伴い、画面スクロール時に表示される文字などの情報が不自然にならないようにスキャンタイミングを調整するものであり、これもソフト的な改良であるが、例えば特許文献３の図１に示されるような縦横に配列されたＬＥＤディスプレイ画面全体の強度を向上させるような工夫は全く開示されておらず、大型化に伴う構造上の弱体化という課題があった。
例えば、特許文献３には図２にＬＥＤ表示装置としてＬＥＤパネルを連結したものが開示されており、これは図７に示した従来のＬＥＤディスプレイ装置と同様で矩形のＬＥＤパネルユニットを用いているため、その接触面が直線となり、ＬＥＤディスプレイ画面に小さな撓み力や曲げ力がかかった場合でも、その直線部分が簡単に起点となって曲がったり折れてしまう。
【０００８】
本発明はかかる従来の事情に対処してなされたものであり、小型のＬＥＤディスプレイユニットを複数組み合わせて配置し大型のディスプレイ装置を構成させる場合に、ディスプレイ画面のハード上、構造上の強度を向上させて、よりディスプレイ画面の大型化が可能であると同時に安全性、信頼性の高いＬＥＤパネルユニットとそれを用いたＬＥＤディスプレイユニット及びＬＥＤディスプレイ装置を提供することを目的とする。
【課題を解決するための手段】
【０００９】
上記目的を達成するため、請求項１記載の発明であるＬＥＤパネルユニットは、ＬＥＤランプを複数配置した回路基板を有するＬＥＤパネルユニットであって、その外形は少なくとも１の凹部を備えるものである。
上記構成のＬＥＤパネルユニットにおいて、少なくとも１の凹部は、他のＬＥＤパネルユニットと連結する際の接触面を直線状ではなく凹凸状に形成するという作用を有する。
【００１０】
また、請求項２に記載の発明であるＬＥＤパネルユニットは、請求項１記載のＬＥＤパネルユニットにおいて、ＬＥＤパネルユニットの外周は、回路基板に垂直な外枠部を備え、その外枠部には他のＬＥＤパネルユニットの外枠部と連結可能に留め具を備えるものである。
上記構成のＬＥＤパネルユニットは、請求項１記載の発明の作用に加えて、ＬＥＤパネルユニットは外周の外枠部と他のＬＥＤパネルユニットの外枠部で接触面を形成しながら留め具で連結するという作用を有する。
【００１１】
そして、請求項３に記載の発明であるＬＥＤディスプレイユニットは、ＬＥＤランプを複数配置した回路基板を有するＬＥＤパネルユニットと、複数のＬＥＤランプの個々に表示信号を配信するディストリビュータに接続されるコネクタと、このコネクタと回路基板を接続する表示信号ラインを備えるＬＥＤディスプレイユニットであって、ＬＥＤパネルユニットの外形は少なくとも１の凹部を備え、コネクタの外形はＬＥＤパネルユニットの外形と相似形であるものである。
上記構成のＬＥＤディスプレイユニットは、これを構成するＬＥＤパネルユニットの少なくとも１の凹部が、他のＬＥＤディスプレイユニットのＬＥＤパネルユニットと連結する際の接触面を直線状ではなく凹凸状に形成されるという作用を有し、さらに、ディストリビュータに接続されるコネクタの外形とＬＥＤパネルユニットの外形が相似形であることから表示画面を形成するＬＥＤパネルユニットの配置とディストリビュータのコネクタの配置が同一形となるという作用を有する。
【００１２】
さらに、請求項４に記載の発明であるＬＥＤディスプレイ装置は、表示信号を受信して発光するＬＥＤランプを複数配置した回路基板を有しその外形は少なくとも１の凹部を備えるＬＥＤパネルユニットを含めて複数のＬＥＤパネルユニットを連結させてなるＬＥＤパネルと、複数のＬＥＤパネルユニットの複数のＬＥＤランプの個々に表示信号を配信するディストリビュータと、所望の表示信号を生成してディストリビュータに送信するドライバと、このドライバに対して表示信号を生成するための表示データとドライバを駆動するための制御信号を送信する制御部と、表示データを格納する格納部とを有するものである。
上記構成のＬＥＤディスプレイ装置は、これを構成するＬＥＤパネルユニットの少なくとも１の凹部が、他のＬＥＤディスプレイユニットのＬＥＤパネルユニットと連結する際の接触面を直線状ではなく凹凸状に形成されるという作用を有する。また、制御部は格納部から表示データを読み出してドライバに制御信号と共に送信し、ドライバは表示信号を生成してディストリビュータに送信するという作用を有する。さらにディストリビュータはＬＥＤパネルユニットの複数のＬＥＤランプの個々に表示信号を配信するという作用を有する。
【００１３】
最後に請求項５に記載の発明であるＬＥＤディスプレイ装置は、請求項４に記載のＬＥＤディスプレイ装置において、ＬＥＤパネルユニットは請求項２に記載のＬＥＤパネルユニットであるものである。
上記構成のＬＥＤディスプレイ装置は、請求項４に記載の発明の作用に加えて、ＬＥＤディスプレイ装置を構成するＬＥＤパネルユニットは外周の外枠部と他のＬＥＤパネルユニットの外枠部で接触面を形成しながら留め具で連結するという作用を有する。
【発明の効果】
【００１４】
本発明の請求項１に記載のＬＥＤパネルユニットでは、他のＬＥＤパネルユニットと連結する際の接触面を直線状ではなく凹凸状に形成することで、同時にその接触面を長く形成できるため、ＬＥＤパネルユニットを連結して構成される表示画面の湾曲、歪曲あるいは撓みに対して、剛性を維持する対抗力を生成し易くかつ湾曲等によって作用する力を分散させることができる。
従って、構造的に強度を向上させることが可能であり、ＬＥＤパネルユニットを組合せて配置して大型の表示画面を形成する際にも、高い安全性や信頼性を発揮することができる。
【００１５】
また、本発明の請求項２に記載のＬＥＤパネルユニットでは、特に、ＬＥＤパネルユニット間をその外枠部で接触させて留め具で連結することによって、ＬＥＤパネルユニットを強固に連結することが可能であり、大型の表示画面の剛性を高めることが可能である。
【００１６】
請求項３に記載のＬＥＤディスプレイユニットにおいては、これを構成するＬＥＤパネルユニットの連結に際して、接触面を直線状ではなく凹凸状に形成されることで請求項１に記載の発明と同様の効果を発揮する。また、本発明のＬＥＤパネルユニットの形状は少なくとも１の凹部を備えており従来の矩形とは異なるため、これを組み上げたり組み替えて大型の表示画面を形成させる場合に、いずれのＬＥＤパネルユニットにどのような表示信号が配信されるかという把握が困難であるが、この表示信号の配信を中継するディストリビュータに接続されるコネクタの外形とＬＥＤパネルユニットの外形が相似形とすることで、表示画面を形成するＬＥＤパネルユニットの配置とディストリビュータのコネクタの配置が同一形となるため、ＬＥＤパネルユニットの組み上げや組み替えの際に、ディストリビュータ上で表示信号の配信状態を容易に把握できる。
【００１７】
そして、請求項４に記載のＬＥＤディスプレイ装置においても、まず構成するＬＥＤパネルユニットの連結に際して、接触面を直線状ではなく凹凸状に形成されることで請求項１、３に記載の発明と同様の効果を発揮する。従って、ＬＥＤパネルユニットを数多く組合わせて大型のＬＥＤパネルを形成することが可能である。
また、格納部から読み出される表示データを基に表示信号が生成され、ＬＥＤパネルユニットを組み合わせたＬＥＤパネルに所望の表示を行なうことが可能である。
【００１８】
本発明の請求項５に記載のＬＥＤディスプレイ装置においては、請求項４に記載の発明の効果に加えて、より強固にＬＥＤパネルユニット間を連結することが可能である。
【発明を実施するための最良の形態】
【００１９】
以下に、本発明の最良の実施の形態に係るＬＥＤパネルユニット、ＬＥＤディスプレイユニット及びＬＥＤディスプレイ装置について図１乃至図６に基づき説明する。
図１は、本発明の本実施の形態に係るＬＥＤディスプレイ装置のシステム構成図である。
ＬＥＤディスプレイ装置１は、ＬＥＤランプ４を回路基板５に多数備えたＬＥＤパネルユニット３を連結させて大型化したディスプレイパネル２と、個々のＬＥＤパネルユニット３それぞれにドライバ９で生成される表示信号を配信するディストリビュータ７を備えている。
ＬＥＤパネルユニット３は回路基板５の外周にこれに垂直にパネル外枠６を備えており、ＬＥＤパネルユニット３間の連結の際に接触面を形成している。このパネル外枠６を用いたＬＥＤパネルユニット３間の連結については図３を参照しながら後述する。
制御部１１は、格納部１０に格納された表示データを読み出してドライバ９に送信し、同時にドライバ９の駆動を制御する制御信号を送信する。ドライバ９では表示データを基に表示信号を生成し、ディストリビュータ７に送信する。
表示データは、予めどのような情報を表示するかという内容を所定のデータ形式として、入出力インターフェース１２を介して格納部に格納されるものである。
入出力インターフェース１２は、例えばパーソナルコンピュータのような外部入力装置１３に接続される。外部入力装置１３は、入力部１６、格納部１４、制御部１５及びディスプレイ１７から構成され、ＬＥＤディスプレイ装置１の格納部１０に格納される表示データを入力部１６からディスプレイ１７で確認しながら、制御部１５を介して入力したり、あるいは格納部１４に一旦格納してから制御部１５を介して入力したりすることが可能である。
【００２０】
このように構成される外部入力装置１３を介さずとも、入出力インターフェース１２に表示データを供給可能な何らかの外部入力装置を接続してもよい。例えば、単にキーボードのような入力装置を接続して入力するようにしてもよいし、表示データを格納したメモリを接続してそれを制御部１１が読み出して格納部１０に格納するようにしてもよい。
電源部８は、ドライバ９、ディストリビュータ７、制御部１１あるいは格納部１０や入出力インターフェース１２を駆動させるために設けられるものであり、ＬＥＤパネルユニット３のＬＥＤランプ４を点灯させるための電源は図示しないが設けられている。図では電源部８はドライバ９に接続されているが、ドライバ９を介して他の機器に接続されるものである。但し、ドライバ９を介さず直接これらの機器に接続されてもよいし、個々の機器が独立した電源を備えてもよいことは言うまでもない。
【００２１】
次に、本実施の形態に係るＬＥＤディスプレイ装置に搭載されるＬＥＤパネルユニット及びＬＥＤディスプレイユニットについて図２を参照しながら説明を加える。
図２はＬＥＤディスプレイ装置を構成するＬＥＤディスプレイユニットの外形図である。図２において、ＬＥＤディスプレイユニット２６は、ＬＥＤパネルユニット３と図１を用いて説明したディストリビュータに接続されるディストリビュータコネクタ２２に加えてこれらを接続する表示信号ライン２１を備えるものである。
まず、ＬＥＤパネルユニット３は、前述のとおり回路基板５に多数のＬＥＤランプ４を配して備えるものであり、回路基板５の外周にはパネル外枠６が垂設されている。ＬＥＤパネルユニット３の外形は、凹部２０を備えており従来から存在している矩形状ではない。
また、ＬＥＤパネルユニット３の回路基板５からは表示信号ライン２１が延設されており、その端部にはディストリビュータコネクタ２２が設けられ、このディストリビュータコネクタ２２はディストリビュータに接続される。ディストリビュータコネクタ２２の形状は、ＬＥＤパネルユニット３の外形と相似形となっており、ディストリビュータコネクタ２２からＬＥＤパネルユニット３の形状が容易に理解できるし、その逆も可能である。表示信号ライン２１の長さは、図では短いように見えるが、その長さを限定するものではなくディストリビュータの設置位置とＬＥＤパネルユニット３を組み合せたディスプレイパネルの位置に依存するものである。
【００２２】
本実施の形態に係るＬＥＤディスプレイユニット２６のディストリビュータコネクタ２２については後で図６を参照しながら説明を追加する。
ＬＥＤパネルユニット３に凹部２０を備えることで、複数のＬＥＤパネルユニット３を組み合せて連結する際にはその接触面が直線状となることはなく、不規則に入り組んだ形状となり、大型のディスプレイパネルとした場合に発生する撓み力や曲げ力をより効率的に分散することができ、剛性を向上させることが可能である。
なお、本願明細書及び特許請求の範囲において、凹部とはＬＥＤパネルユニット３の外形を構成する辺上の任意の２点を直線で結んだ場合に、その任意の２点間にある辺上の途中点の位置が、先の直線より内側、すなわちＬＥＤパネルユニット３側に存在する場合に、その途中点は、先の任意の２点に対して凹部を形成しているとするものである。あるいは、凹部とは、輪郭線の少なくとも一部が四角形状あるいはその他の多角形状から外れて内側へ形成される部分ということも可能である。四角形状あるいはその他の多角形状から外れる部分は辺の途中でもよいし角部でもよい。
また、ＬＥＤランプ４は、１のランプ中にＲ（赤色系）Ｇ（緑色系）Ｂ（青色系）のすべての素子を含むタイプのものでもよいし、ＬＥＤランプ４のそれぞれがＲＧＢのいずれかの素子からなるものであって、３つのＬＥＤランプ４がまとまってＲＧＢを構成するようにしてもよい。
【００２３】
次に、図３を参照しながらＬＥＤパネルユニット３の組合せ連結方法について説明する。図３は本実施の形態に係るＬＥＤパネルユニットの連結状態を示す概念図である。
図３において、ＬＥＤパネルユニット３は固定板２４に固定されて大型のディスプレイパネルを形成するが、前述のとおり小型のＬＥＤパネルユニット３を複数組合せて連結する必要がある。図３に示すとおり、ＬＥＤパネルユニット３は同様に多数のＬＥＤランプ４ａを備えた他のＬＥＤパネルユニット３ａと互いのパネル外枠６，６ａを接触面として組合せられている。また、これらのパネル外枠６，６ａ間はボルト２３などの締結具で留めて固定されている。
このようにＬＥＤパネルユニット３，３ａ間の連結が直線的ではなく角を形成するなどして不規則に変化することで、ディスプレイパネルに曲げ力や撓み力がかかった場合にその力を分散することができるのである。本実施の形態においては角状に不規則に接触面を変化させているが、曲線状に凹部と凸部を形成させてそれを組み合わせてもよい。但し、ＬＥＤパネルユニット３は複数を組み合わせて１枚のディスプレイパネルを構成させるので、その組み合わせの自由度を考慮すれば、矩形状のＬＥＤパネルユニットの４つの角部のうち１を図３に示すように矩形状に切り欠いて凹部を形成させたり、隣り合う２つの角部を図３に示すように矩形状に切り欠いて凹部を２箇所形成させたりして、これらを組み合わせるようにすることが望ましい。
【００２４】
次に、図４を参照しながら、図３に示したボルトによるＬＥＤパネルユニット３，３ａ同士のパネル外枠６，６ａ間連結について説明を追加する。
図４は図３において符号Ａで示した点線内を拡大して模式的に示す断面図である。図４において、パネル外枠６，６ａは互いに接触しており、ボルト２３がこれらのパネル外枠６，６ａを貫通し、ナット２５で締結することで固定されている。パネル外枠６，６ａで囲まれたＬＥＤパネルユニット３，３ａ内部には多数のＬＥＤランプ４，４ａが配列されているため、ボルト２３及びナット２５は可能な限り薄型のものが望ましい。
なお、本実施の形態においては、留め具としてボルト２３とナット２５を採用したが、このようなものに限定するものではなく、締結の強度を担保できる場合には例えばパネル外枠６，６ａを同時に上方から挟み込むようなクリップ状の留め具でも構わない。
【００２５】
図５（ａ）、（ｂ）は、本実施の形態に係るＬＥＤパネルユニットを組み合わせて形成されるディスプレイパネルを模式的に示す概念図である。図５（ａ）において、ディスプレイパネル２は、基本的に４種類のＬＥＤパネルユニット３，３ａ，３ｂ，３ｃから構成される。
ＬＥＤパネルユニット３は、図５（ａ）に示される基準寸法２の正方形状のＬＥＤパネルユニット３ｃの１の角部で基準寸法１の正方形を切り欠くようにして形成されたものであり、ＬＥＤパネルユニット３ｂは基準寸法２と３の長方形状のＬＥＤパネルユニットの対向する２の角部で基準寸法１の正方形を切り欠くようにして形成されたものである。ＬＥＤパネルユニット３ａとＬＥＤパネルユニット３ｃはそれぞれ基準寸法１と２の長方形状、基準寸法２の正方形状に形成されたものであり、その面積比は１：２となる。
【００２６】
本実施の形態においては、４種類のＬＥＤパネルユニットを用いているが、特にこのようなＬＥＤパネルユニットに限定するものではない。例えば図５（ｂ）には、７種類のＬＥＤパネルユニットが用いられている。図５（ｂ）では、図５（ａ）に示したＬＥＤパネルユニットに加えて、ＬＥＤパネルユニット３ｄとして基準寸法２と３の長方形状のＬＥＤパネルユニットの１の角部で基準寸法１と２の長方形を切り欠くようにして形成されたものが追加されている。また、ＬＥＤパネルユニット３ｂ及びＬＥＤパネルユニット３ｄは鏡面対象となるものを含むもので、これらは別の種類のＬＥＤパネルユニットとしている。なお、ＬＥＤパネルユニットとして基準寸法２と３の長方形状のＬＥＤパネルユニットの長辺において隣接する２の角部で基準寸法１の正方形を切り欠くようにして形成されたものなども追加してもよい。
図５（ａ）、(ｂ)に示した基準寸法という概念も整数として捉える必要はなく適宜変更してよい。また、本実施の形態において示すとおり、常に、凹部を備えたＬＥＤパネルユニット３，３ｂのみを用いてディスプレイパネル２を構成するのではなく、凹部を備えていないＬＥＤパネルユニット３ａ，３ｃをも組み合わせて構成させてもよいが、少なくとも、凹部を備えたＬＥＤパネルユニット３，３ｂ，３ｄを用いて組み合わせて不規則な接触面を形成させることが必要である。
【００２７】
さらに、本実施の形態のディスプレイパネル２を図５（ａ）、（ｂ）に示しているが、これは図に示される基準寸法を利用することで、様々な寸法の矩形ディスプレイパネル２を製作することができる。基本的に基準寸法２の長さのものと基準寸法１あるいは３のものを組み合わせるならば、それぞれ縦横の長さは自由に選択可能である。ちなみに図５（ａ）に示されるディスプレイパネル２の場合には、縦が寸法８、横は寸法９の画面が構成され、図５（ｂ）に示されるディスプレイパネル２の場合は、縦が寸法８、横は寸法１１の画面が構成されている。
このようにＬＥＤパネルユニット３の縦横の寸法として基準寸法１，２、あるいは基準寸法２，３、基準寸法１，２，３などを組み合わせて考えることであらゆる縦横比のディスプレイパネル２を構成することが可能である。
すなわち、たとえ単純な矩形のＬＥＤパネルユニットを縦横に配置しない場合であっても、組み合わせて大型化したディスプレイパネルで矩形状に形成することは可能なのである。
しかも、図５（ａ）、（ｂ）から理解されるとおり、凹部を備えたＬＥＤパネルユニットを含めて組み合わせることによれば、配列されたＬＥＤパネルユニット同士の接触面が図７に示されるように直線状になることなく、不規則に形成することが可能であるため、曲げ力や撓み力を分散しながら剛性を高く維持することが可能である。さらに、図３で示したようにＬＥＤパネルユニットの外周に設けられたパネル外枠を互いに留め具によって締結することによればさらに強固に連結することが可能であり、より高い安全性と信頼性を発揮することが可能である。
【００２８】
図６は、本実施の形態に係るＬＥＤディスプレイ装置のディスプレイパネルとディストリビュータが表示信号ラインを介して接続される状態を模式的に示す概念図であるが、この図６を参照しながら、本願発明のように単純な矩形状のＬＥＤパネルユニットを組み合わせるものではない場合の表示信号の配信について説明する。
ＬＥＤディスプレイ装置ではもちろんディスプレイパネル２を備えてその画面に文字情報や画像、映像情報を表示するものであるが、ディスプレイパネル２を構成するＬＥＤパネルユニット３，３ａ〜３ｃ、あるいはさらにそれらを構成するＬＥＤランプ毎に点灯状態を制御する必要がある。
この点灯状態は、そもそも表示されるべき情報を表示データとして格納しておき、この表示データに沿って表示信号がドライバによって生成され、その表示信号がＬＥＤパネルユニットのそれぞれのＬＥＤランプのレベルまで届くことで制御されている。従って、予め一面に形成された大型画面であれば、ＬＥＤランプは固定されたままであり、その製造時にドライバやそのドライバから送信される表示信号は固定されているＬＥＤランプに供給することは容易である。
【００２９】
しかしながら、本願発明のように小型のＬＥＤパネルユニットを複数組み合わせることで大型のディスプレイパネル２を構成させる場合には、個々のＬＥＤパネルユニットがどのように配置されているかを予め知る必要があり、その個々のＬＥＤパネルユニットに表示信号を配信しなければならない。そこで、ドライバから直接ディスプレイパネル２に表示信号を送信するのではなく、一旦、ディストリビュータ７という配信装置を介してディスプレイパネル２に送信することが望ましい。
このディストリビュータ７は、組み合わせられたディスプレイパネル２へ送信される表示信号がどのように配信されるかを確かめることが可能なものであり、ドライバで生成される表示信号をこのディストリビュータ７上でチェックすることができる。ディストリビュータ７の図示しない端子にディスプレイパネル２を構成する個々のＬＥＤパネルユニット３，３ａ〜３ｃからそれぞれ延設される表示信号ライン２１の端部に設けられたディストリビュータコネクタ２２，２２ａ〜２２ｃをディストリビュータ７の端子に接続することで、ディストリビュータ７に送信される表示信号がそのままディスプレイパネル２のＬＥＤパネルユニット３，３ａ〜３ｃに配信され、ディスプレイパネル２に文字情報や映像情報などが表示されるのである。
単純な矩形のＬＥＤパネルユニットではなく、凹部を備えたＬＥＤパネルユニットも含めて組み合わせられるので、それぞれの位置、向きなどが問題となり、よって、このＬＥＤパネルユニットと相似形のディストリビュータコネクタを備えることによれば、ディスプレイパネル２における配置と同じ配置をディストリビュータ７で組むことが容易となる。あるいは、逆に先にディストリビュータ７で組み上げておくことで、それを基にディスプレイパネル２の組み上げを容易にすることも可能である。
【００３０】
このように構成された本実施の形態に係るＬＥＤパネルユニットは、他のＬＥＤパネルユニットと連結する際の接触面を直線状ではなく不規則な凹凸状に長く形成できるため、ＬＥＤパネルユニットを連結して構成される表示画面の湾曲、歪曲あるいは撓みに対して、力を分散しながら剛性を高く維持することができる。
また、パネル外枠を備えて連結する際に留め具で締結することによって、ＬＥＤパネルユニットを強固に連結することが可能であり、剛性を高めてより大型のディスプレイパネルを構成することができる。
また、ＬＥＤディスプレイユニットは、ディストリビュータに接続されるディストリビュータコネクタの外形とＬＥＤパネルユニットの外形が相似形となっているため、ＬＥＤパネルユニットの配置とディストリビュータのコネクタの配置が同一形となり、ＬＥＤパネルユニットの組み上げや組み替えの際に、ディストリビュータ上で表示信号の配信状態を容易に把握することができる。
さらに、これらのＬＥＤパネルユニットやＬＥＤディスプレイユニットを備えるＬＥＤディスプレイ装置においては、ＬＥＤパネルユニットを数多く組合せても高い剛性を維持することが可能であるため、より大型のＬＥＤパネルを形成することが可能である。所望の表示データを基に表示信号が生成され、ＬＥＤパネルユニットを組み合わせた大型のＬＥＤのディスプレイパネルに所望の表示を行なうことが可能である。また、ＬＥＤパネルユニットを組み変えることも可能であり汎用性を向上させることも可能である。
【産業上の利用可能性】
【００３１】
以上説明したように、本発明の請求項１乃至請求項５に記載された発明は、より大型のＬＥＤディスプレイ装置として利用が可能であり、交通機関や商業施設におけるディスプレイや公的機関や教育機関においても情報の表示などに利用可能である。また、適宜、ＬＥＤパネルユニットを組み変えて大きさの異なるＬＥＤディスプレイ装置を形成させることができるので、汎用性の高いＬＥＤディスプレイ装置として利用価値が高い。
【図面の簡単な説明】
【００３２】
【図１】本発明の本実施の形態に係るＬＥＤディスプレイ装置のシステム構成図である。
【図２】本実施の形態に係るＬＥＤディスプレイ装置を構成するＬＥＤディスプレイユニットの外形図である。
【図３】本実施の形態に係るＬＥＤパネルユニットの連結状態を示す概念図である。
【図４】図３において符号Ａで示した点線内を拡大して模式的に示す断面図である。
【図５】（ａ）、（ｂ）は共に本実施の形態に係るＬＥＤパネルユニットを組み合わせて形成されるディスプレイパネルを模式的に示す概念図である。
【図６】本実施の形態に係るＬＥＤディスプレイ装置のディスプレイパネルとディストリビュータが表示信号ラインを介して接続される状態を模式的に示す概念図である。
【図７】ＬＥＤパネルユニットを組み上げることによって構成された従来の大型のディスプレイパネルを模式的に示す概念図である。
【符号の説明】
【００３３】
１…ＬＥＤディスプレイ装置  ２…ディスプレイパネル  ３，３ａ〜３ｄ…ＬＥＤパネルユニット  ４，４ａ…ＬＥＤランプ  ５…回路基板  ６，６ａ…パネル外枠  ７…ディストリビュータ  ８…電源部  ９…ドライバ  １０…格納部  １１…制御部  １２…入出力インターフェース  １３…外部入力装置  １４…格納部  １５…制御部  １６…入力部  １７…ディスプレイ  ２０…凹部  ２１…表示信号ライン  ２２，２２ａ〜２２ｃ…ディストリビュータコネクタ  ２３…ボルト  ２４…固定板  ２５…ナット  ２６…ＬＥＤディスプレイユニット  ３０…ディスプレイパネル  ３１…ＬＥＤパネルユニット
【図１】
2007127976.tif 000003
【図２】
2007127976.tif 000004
【図３】
2007127976.tif 000005
【図４】
2007127976.tif 000006
【図５】
2007127976.tif 000007
【図６】
2007127976.tif 000008
【図７】
2007127976.tif 000009